(57)【要約】【課題】雨水等を貯留及び／又は浸透する施設に使用され、雨水等を誘導する方向を容易に揃えて施工できる充填部材と、その施工方法を提供する。【解決手段】充填部材３０は、雨水等を貯留する貯留部１０内に縦横かつ上下に連設して充填するものであり、貯留部に流入した雨水等を重力により所定方向に誘導する誘導手段として傾斜板部３２を備えており、傾斜板部は雨水等が誘導される方向を示すマークＭを上面に有する。また、充填部材３０Ｃは、上下方向に積み重ねる連結部と、貯留部に流入した雨水等を所定方向に誘導する傾斜板部３２とを備え、連結部３１，３１Ａは形状が異なっており、誘導方向が一致したときのみ上下に連設できる。【選択図】  図４
2004360231.tif 000002
【特許請求の範囲】
【請求項１】
雨水等を貯留及び／又は浸透する施設に使用し、雨水等を貯留する貯留部内に縦横かつ上下に連設して充填する充填部材であって、
該充填部材は、前記貯留部に流入した雨水等を重力により所定方向に誘導する誘導手段を備えており、該誘導手段は雨水等が誘導される方向を示すマークを有することを特徴とする充填部材。
【請求項２】
雨水等を貯留及び／又は浸透する施設に使用し、雨水等を貯留する貯留部内に縦横かつ上下に連設して充填する充填部材であって、
該充填部材は、上下方向に積み重ねる複数の連結部と、前記貯留部に流入した雨水等を所定の誘導方向に誘導する傾斜板部とを備え、前記連結部は少なくとも１つの形状及び／又は位置が残りの連結部と異なっており、前記誘導方向が一致したときのみ上下に連設できることを特徴とする充填部材。
【請求項３】
前記傾斜板部は、その上面に誘導する方向を示すマークを有することを特徴とする請求項２に記載の充填部材。
【請求項４】
前記充填部材は、熱可塑性プラスチックで構成されることを特徴とする請求項１〜３のいずれかに記載の充填部材。
【請求項５】
請求項１〜４のいずれかに記載の充填部材を、雨水等を貯留する貯留部内に縦横かつ上下に連設して充填する施工方法であって、
前記貯留部の底面全面に、雨水等を誘導する方向を設定して１段目の充填部材を縦横に並べて敷詰め、２段目以降の充填部材は前記１段目の充填部材と誘導方向を揃えて上下に積み重ねて施工することを特徴とする充填部材の施工方法。
【発明の詳細な説明】
【０００１】
【発明の属する技術分野】
本発明は、雨水等を貯留及び／又は浸透する施設に使用され貯留部内に充填する充填部材に係り、特に、雨水と共に流入する砂等を効率よく所定の方向に誘導でき施工が容易な充填部材と、その施工方法に関する。
【０００２】
【従来の技術】
従来、例えば大規模な宅地造成地では、造成面積に見合う間隔や規模で調整池を造成している。この調整池は、例えば地面を１ｍ程度掘下げて雨水等の貯留部を形成し、この貯留部に周囲の住宅地からの排水溝や道路の側溝を接続するものであり、集中豪雨等に際しては余分な雨水等を一時貯留して、周囲の住宅地の雨水等の滞留や、河川の氾濫や、下水の河川への流出等を防止するものである。また、貯留部の周囲を透水シートで形成して、雨水を徐々に地面に浸透させるように構成した浸透式の貯留部を用いたものもある。このように貯留部の壁面を遮水性シートで形成するか、透水性シートで形成するか、あるいは下方を遮水性シートで形成し上方を透水性シートで形成することによって、貯留施設、浸透施設、貯留浸透施設として機能させるものである。
【０００３】
この種の雨水等の貯留浸透施設として、特許文献１に記載の雨水等の貯留浸透施設がある。この公報に記載の技術は、地面を掘下げてタンク部を構成し、その底部からグランドライン付近まで、複数の容器状部材を縦横かつ上下に配設して充填し、最上部には、被覆手段を施したことを特徴とするものである。そして、容器状部材を多数の孔を有する底部及び周側板で構成し、底部に向かって小さくなるテーパ状に構成したことを特徴とするものである。
【０００４】
また、雨水を貯留する装置として、特許文献２に記載の雨水貯溜装置がある。この公報に記載の技術は、地面を掘下げて形成した貯水槽の内部に、複数本の支柱を備えた合成樹脂製充填体を縦横に並べると共に上下に積み重ねて充填し、その上に被覆手段を施した雨水貯溜装置であって、貯水槽の底面に固形分排出用の溝を形成し、少なくとも上方の合成樹脂製充填体の支柱間に多数の水噴射孔を有する散水管、又は多数の排気孔を有する散気管を配設したものであり、充填体に堆積する固形分を簡単に取り除くことができるメンテナンスの容易な雨水貯溜装置を提供するものである。
【０００５】
さらに、この種の貯留浸透施設で、雨水等に混じって砂や小石が施設内に進入し、長期間に砂等が堆積して貯留容積を狭めることを防止するために、砂等を一定の方向に誘導して所定の位置にまとめて堆積させ、この堆積物を容易に除去して内容量を復帰させる貯留浸透施設と、この施設に使用する充填部材が本願出願人より出願されている。この施設で使用する充填部材は、例えばプラスチックで形成され、貯留施設の内部に縦横且つ上下に積み重ねて充填されるものであり、雨水等を所定の方向に誘導する傾斜板部を備えている。
【０００６】
【特許文献１】
特公平４−２６６４８号公報（特許請求の範囲第１〜３項、第１図）
【特許文献２】
特開２０００−１６０６０６号公報（請求項１，２、図２）
【０００７】
【発明が解決しようとする課題】
ところで、前記した特許文献１の貯留浸透施設は、雨水と共に砂や汚泥が貯留部に流れ込むことを防止するため、流入部に泥溜め枡を備えているが、長期間使用しているうちに泥溜め枡を通過した砂や汚泥が貯留部の底面に沈殿して堆積する。貯留部は内部に容器状部材が縦横かつ上下に配設して充填されており、堆積した砂や汚泥を除去することが難しい。このため、貯留部の内容積が徐々に少なくなって雨水の貯留量が少なくなり、内容積が極端に少なくなると調整池として機能しなくなる虞があった。その場合、既設の調整池を掘り起こし、充填部材を撤去後に清掃し、再度充填部材を配設しなおすという手間と多額な維持費がかかる。また、必要に応じて新規の貯留浸透施設を造成することとなり、新たな土地を必要とし、土地の有効利用の妨げになるという問題点も生じる。
【０００８】
また、前記した特許文献２の雨水貯溜装置は、貯水槽の内部に散水管や散気管を別途配設するため、構成が複雑となって装置の作製が煩雑となり、費用もかさむという問題点がある。そして、散水管や散気管が貯水槽内に位置するため、その分貯水槽の空隙率が下がり貯水量が減るという問題点がある。さらに、充填体に堆積する固形分を散水管で取り除くときには、貯水槽を空にして散水管から高圧の水を噴射する操作が必要である。
【０００９】
さらに、前記の本願出願人の出願にかかる貯留浸透施設は、前記のとおり、堆積物を容易に除去でき非常に画期的であるが、充填部材を積み重ねるときに誘導方向を決めて積み重ねる必要がある。すなわち、施工時に誘導方向を間違えて積み重ねると砂等を所定の方向に誘導できず、底面の広い面積に分散して堆積するため、その機能が失われてしまい、積み重ね施工の際に一つひとつの充填部材の誘導方向を確かめながら施工する必要がある。その結果、従来の方向性のない充填部材の施工と比較すると、積み重ねや縦横に並べる連設施工作業が煩雑となり施工スピードが落ちるという問題点があった。
【００１０】
本発明は、このような問題に鑑みてなされたものであって、その目的とするところは、砂や小石等を一定の方向に誘導できる充填部材の連設施工作業が容易に行え、施工作業のスピードアップが可能な充填部材を提供することにある。また、充填部材を容易に連設することができ、雨水等を貯留及び／又は浸透する施設の施工を短持間に効率良く行うことができる充填部材の施工方法を提供することを目的とする。
【００１１】
【課題を解決するための手段】
前記目的を達成すべく、本発明に係る充填部材は、雨水等を貯留及び／又は浸透する施設に使用し、雨水等を貯留する貯留部内に縦横かつ上下に連設して充填するものであって、この充填部材は、貯留部に流入した雨水等を重力により所定方向に誘導する誘導手段を備えており、該誘導手段は雨水等が誘導される方向を示すマークを有することを特徴とする。
【００１２】
前記のごとく構成された本発明の充填部材は、貯留及び／又は浸透する施設の内容積を確保する空間に充填部材を縦横に並べるとともに上下に積み重ねる連設施工時に、誘導手段に誘導方向を示すマークが付されているため、そのマークを見ながら誘導方向を確認して容易に連設することができる。このため、誘導方向を間違えることが防止されて砂等を確実に所定の方向に誘導でき、この種施設の長寿命化を達成でき、施工作業の効率化を図ることができる。
【００１３】
本発明に係る充填部材の他の態様としては、雨水等を貯留及び／又は浸透する施設に使用し、雨水等を貯留する貯留部内に縦横かつ上下に連設して充填するものであって、この充填部材は、上下方向に積み重ねる複数の連結部と、貯留部に流入した雨水等を所定の誘導方向に誘導する傾斜板部とを備え、連結部は少なくとも１つの形状及び／又は位置が残りの連結部と異なっており、誘導方向が一致したときのみ上下に連設できることを特徴とする。すなわち、方向が異なる場合は連結できない構成となっている。
【００１４】
この構成の充填部材は、貯留及び／又は浸透する施設の貯留部に充填する際に、底面から１段目の充填部材の誘導方向を予め設定しておけば、２段目以降の充填部材は１段目の充填部材に合わせて積み重ねるだけで誘導方向が一定の方向となり、多数の充填部材の方向を確実に所定の方向に合わせることができる。このため、施設の長寿命化を達成できると共に、充填部材の連設作業の効率化を図れ、作業時間を短縮できる。
【００１５】
また、本発明に係る充填部材の好ましい具体的な態様としては、誘導手段である前記傾斜板部は、その上面に誘導する方向を示すマークを有することを特徴としており、熱可塑性プラスチックで構成されることが好ましい。この構成によれば、貯留部の底面の１段目に充填部材を水平方向に並べるとき、傾斜板部の誘導方向を容易に確認して並べることができ、施工作業の短縮化を図ることができる。
【００１６】
本発明の充填部材の施工方法は、雨水等を貯留及び／又は浸透する施設に使用し、雨水等を貯留する貯留部内に縦横かつ上下に連設して充填する前記のいずれかに記載の充填部材の施工方法で、貯留部の底面全面に、先ず雨水等を誘導する方向を設定して１段目の充填部材を縦横に並べて敷詰め、２段目以降の充填部材は１段目の充填部材と誘導方向を揃えて上下に積み重ねて施工することを特徴とする。
【００１７】
このように構成された本発明の充填部材の施工方法は、貯留部の底面全面に１段目の充填部材を並べて敷詰めるときに、その誘導方向又は傾斜板部の傾斜方向を所定の方向に設定しておけば、２段目以降の多数の充填部材は１段目の充填部材のマークに合わせて積み重ねるだけなので、施工が容易に行える。また、１段目の充填部材と誘導方向が異なると重ね合わせることができないため、２段目以降の充填部材は誘導方向を確かめる必要がなく積み重ねることができ、作業時間の短縮を図ることができる。
【００１８】
【発明の実施の形態】
以下、本発明に係る雨水等を貯留及び／又は浸透する施設に使用する充填部材の一実施形態を図面に基づき詳細に説明する。なお、本実施の形態では、雨水等を貯留する貯留施設について先に説明し、次いで充填部材を詳細に説明する。図１は、本実施の形態に係る雨水等の貯留施設の断面図、図２は、図１の貯留部の上部に位置する被覆部材を省略した平面図、図３は、図１のＡ−Ａ線断面図である。
【００１９】
図１〜３において、雨水等の貯留施設は、大雨が降ったときに雨水を一時的に貯留し、河川流量が急激に増大するのを防止する流出抑制効果を有するものである。そして、貯留された雨水等を植木への散水や洗車用水、非常時の生活用水や防火用水として利用することもできるものであり、地面１を掘下げて形成した貯留部１０と、貯留部１０内に水平方向に並べて設置すると共に、上下方向に重ねる多数の充填部材３０と、充填部材３０の最上部に載置され貯留部１０の上部を覆う被覆部材４０とを備えている。
【００２０】
貯留部１０は、地面１を例えば１〜１０ｍ程度の深さで平面形状が矩形状に掘下げて掘削部２を造成し、底面は割栗石等を敷詰め突き固めて基礎部３を形成している。貯留部１０の底面は、基本的には平坦面となっており、底面の長辺方向の中央部には平坦面から一段落ち込んだ凹窪部１１が形成されている。この凹窪部１１は底面の短辺方向の全幅に亘って形成されている。凹窪部１１の底面及び貯留部１０の底面全面には、遮水シート１２が敷設されている。遮水シート１２としては厚さが１．５ｍｍ以上の合成ゴム又は樹脂系シート又はアスファルト系シートを使用している。そして、貯留部１０の底面の凹窪部１１には格子状のフレーム１４が嵌め込まれ、貯留部１０の底面は全面が略平坦となっている。
【００２１】
なお、割栗石等から形成される基礎部３上に保護ボード１３を敷き、その上に遮水シート１２を敷設するようにしてもよい。また、前記した保護ボード１３の代わりに、遮水シート１２の下に必要に応じてポリエステル系不織布シート等の基礎用シート（図示せず）を敷設し、遮水シート１２を基礎部３の割栗石から保護するようにしてもよい。さらに、凹窪部は貯留部の広さに応じて複数本形成し、複数の凹窪部に充填部材３０の後述する傾斜板部で雨水を誘導するようにしてもよい。
【００２２】
前記のように略平坦とされた貯留部１０の底面に、多数の充填部材３０が水平に並べられると共に、上下に重ねられて設置される。本実施の形態では、貯留部１０は図２に示すように充填部材３０を１段に２０個並設するスペースを有し、凹窪部１１の両端に対応する２ヶ所を除いた１８個を１段に並設している。この状態で充填部材３０を７段、直接積み重ねて小さいピッチとし、この上に充填部材３０を４段、連結部材３５を挟んで積み重ねて大きいピッチとしており、充填部材３０は貯留部１０内に充填されて雨水等の貯留空間を確保すると共に、上部の被覆部材４０を支持するものである。
【００２３】
２個の充填部材が除かれた貯留部１０内を上下方向に貫通するスペースには、凹窪部１１に連通する角型マンホール１５，１６を設置している。そして、充填部材３０の傾斜板部で誘導された雨水が砂等と共に凹窪部１１に誘導され落下する構成となっている。また、この角型マンホール１５，１６は、凹窪部１１に堆積された砂等の堆積物を除去する際に、バキューム管や洗浄水を噴射する管を通すスペースとして利用されると共に、貯留部１０の雨水を空にして内部状況を点検できるようにマンホールの内周壁には点検孔が穿口されている。
【００２４】
つぎに、前記した貯留施設の貯留部内に充填される充填部材について、図４〜６を参照して詳細に説明する。図４，５は、図１の施設に使用する充填部材の上方の斜視図と、下方の斜視図、図６は図４のＢ−Ｂ線断面図と、Ｃ−Ｃ線断面図である。図４〜６において、充填部材３０は、ポリエチレン、ポリプロピレン、塩化ビニル、ポリエチレンテレフタレート等の熱可塑性プラスチックや、これらの廃プラスチック等から形成され、貯留部１０の上部を覆う被覆部材４０の垂直荷重、及び水圧による水平荷重を支持し、貯留部１０の空間を確保する４本の柱状の連結部３１と、４本の連結部３１に固定され水平面に対して５度程度の角度で傾斜する傾斜板部３２とから構成されている。
【００２５】
傾斜板部３２は厚さが４〜５ｍｍ程度の肉厚の板材で形成され、流入した雨水等を所定方向に誘導する誘導手段を構成する。傾斜板部３２の傾斜方向Ｓは、矢印の先端が低い方向となっており、傾斜角度が緩やかな場合砂等が雨水と共に流れずに滞留するため、５度程度の傾斜角度が好ましい。充填部材３０は、例えば１辺が５０ｃｍ〜１ｍ程度の正方形の傾斜板部３２と、傾斜板部の四隅に上下に延びる連結部３１とから構成され、連結部は高さが１０〜１５ｃｍ程度の三角柱で形成され、１辺が５０ｃｍ〜１ｍ程度で高さが１０〜１５ｃｍ程度の直方体に納まるような形状をしている。
【００２６】
なお、充填部材３０の大きさは、１辺が３０ｃｍ程度の大きさでも、また１辺が１ｍ以上の大きさでもよい。また、充填部材３０の傾斜板部３２は平板を傾斜させた例を示したが、平板でなく傾斜方向に沿って緩やかに凹んだ、あるいは緩やかに凸状に膨らんだ湾曲面でもよく、小さい段差が連続して勾配が付いた階段状の傾斜面でもよい。さらに、急勾配から緩勾配に途中で変化するような傾斜面で構成してもよい。要するに、流入する雨水が重力の作用により一定の方向にのみ流れるような傾斜面であればよい。
【００２７】
連結部３１は厚さが４〜５ｍｍ程度の肉厚の板材で形成され、大きい断面の三角パイプ状の上部柱部３１ａの下方には、上部柱部３１ａの内部に嵌合する小さい断面の三角パイプ状の下部柱部３１ｂが形成されている。したがって、充填部材３０の上部柱部３１ａに、他の充填部材３０の下部柱部３１ｂを内嵌させることにより充填部材３０同士を小さいピッチ、すなわち連結部３１の高さのピッチで積み重ねて連設することができる。三角パイプ状の連結部３１の底面と側面には上下に貫通孔３１ｃ，３１ｄが形成され、下方の貫通孔から雨水が進入することができ、側方の貫通孔から内部の空気が逃げることができる。なお、下部柱部３１ｂは、コーナー部が切欠かれているが連続したものでもよい。また、連結部３１内の底面は土砂等を傾斜板部３２に誘導するために、側面の貫通孔方向に傾斜していることが好ましい。
【００２８】
傾斜板部３２の下面には補強部が形成され、上面は平坦で緩やかな傾斜面となっている。補強部としては、所定の間隔で一体的に縦横に立設された格子状の補強リブ３３が形成されている。この補強リブ３３は傾斜板部３２の上下方向の中央部から上側の上下幅が一定で、中央部から下側に行くにしたがって上下幅が徐々に小さくなるように形成されている。この構成により、傾斜板部３２の上面に荷重が加わっても傾斜板部３２の変形は小さくなり、上面に施工者が載ってもひび割れ等の破損が生じることを防止できる。なお、補強リブは格子状でなくてもよいが、格子状にすると一方向のものと比較して強度が大きくなり好ましく、六角形のハニカム格子状が強度面からより好ましい。
【００２９】
傾斜板部３２には、補強リブ３３で囲まれた下方開口の空間が形成され、この空間の上部と連通する貫通孔３４が形成してある。この貫通孔３４は、下方開口の空間において傾斜板部３２の上方側の補強リブ３３に近接して穿設され、１つの空間に対して１つの貫通孔が穿設されている。この構成により、貯留部１０に下方から徐々に雨水が溜まって上昇してきたとき、この下方開口の空間に空気が溜まったままとならず、空気が貫通孔３４から上面側に移動して代わりに雨水が進入することができ、全ての空間に雨水が進入して浮力による充填部材の浮き上がりを防止することができることとなり、貯留部１０に雨水を充満させて所定の貯留量を確保することができるものとなる。
【００３０】
充填部材３０の傾斜板部３２上面には、この傾斜板部の傾斜方向、すなわち流入した雨水等を誘導する方向に沿ってクサビ状のマークＭが付されている。このマークＭは、充填部材３０を射出成形するときの成形型（図示せず）に刻設されており、射出成形後に離型すると例えば凹凸模様として形成されるものである。このマークＭは傾斜板部３２の勾配の上流部から下流部に向けて先細となっており、先細方向が誘導方向となっている。なお、マークＭは、前記のように成形時に刻接したものに限らず、成型後にマークを印刷したシール等を貼り付けたものでもよい。
【００３１】
充填部材３０は、前記のように柱状部３１の上部柱部３１ａに、他の充填部材３０の下部柱部３１ｂを内嵌させることにより充填部材３０同士を小さいピッチで連結できるとともに、連結部３１の上部に連結部材３５を挟んで積み上げることにより、大きいピッチで積み重ねて連設することができる。連結部材３５は三角パイプ状の連結部３１を繋ぐものであり、図７に示すように上方の大きい三角パイプ状の連結部３６は充填部材３０の下部柱部３１ｂを外嵌し、下方の小さい略三角パイプ状の連結部３７は充填部材３０の上部柱部３１ａに内嵌されるように構成されている。連結部材３５の高さを調整することにより、充填部材３０を積み重ねるピッチを任意に設定することができる。また、図示していないが、連結部の高さの大きい充填部材と、小さい充填部材の２種類の充填部材を準備し、小さいピッチ又は大きいピッチで積み重ねるようにしてもよい。なお、下方の連結部３７は一部が切欠かれているが、連続したものでもよい。
【００３２】
連結部材３５は外側の直交する垂直面に水平方向の接合部３８を備えている。垂直面の一方には接合凸部３８ａが突出形成され、垂直面の他方には接合凸部３８ａが嵌合する接合孔３８ｂが形成されている。接合凸部３８ａは、接合孔とほぼ同じ直径の根元の小径部と、その上部の先端が傾斜している大径部とから構成され、小径部と大径部に掛けてスリットが形成され、大径部は内側に湾曲して縮径することができる。この構成により、接合凸部３８ａは接合孔３８ｂに嵌合して保持され、連結部材３５同士を水平方向に接合することができる。連結部材３５は土砂を傾斜板部３２に誘導するために傾斜した仕切り板を備えており、この仕切り板の低い位置には貫通孔３９が形成され、雨水の進入と空気の排出も可能となっている。
【００３３】
連結部材３５は、図８（ａ）、図９（ａ）に示すように、接合部３８の接合凸部３８ａを接合孔３８ｂに嵌合させることにより２個の連結部材３５を接合することができる。このように２個を接合させた連結部材は、充填部材３０が貯留部１０の外周側に位置しているときに使用する。また、図８（ｂ）、図９（ｂ）に示すように、接合部３８の接合凸部３８ａを接合孔３８ｂに嵌合させることにより４個の連結部材３５を接合することができる。この場合は、充填部材３０が貯留部１０の中心側に位置しているときに使用する。なお、使用していない接合凸部３８ａで突出しているものは、刃物等で切断して平坦としてもよい。また、角型マンホール１５，１６の角部に対向する充填部材３０を接合するときは、図示していないが３個の連結部材を接合して使用する。
【００３４】
本実施の形態では、図２において左端の縦一列の４個の充填部材３０は雨水を誘導する傾斜方向Ｓ１が右方向に向くように、すなわち貯留部の中央の凹窪部１１に向けて誘導するように配置され、右端の縦一列の４個の充填部材３０も傾斜方向Ｓ１が左方向に向いて貯留部の中央の凹窪部１１に向けて誘導するように配置されている。そして、左端から２番目の縦一列の４個の充填部材３０は、上から順に傾斜方向Ｓが下向きＳ３、右向きＳ１、上向きＳ４、上向きＳ３になるように配置され、右端から２番目の縦一列の４個の充填部材３０は上から順に傾斜方向Ｓが下向きＳ３、左向きＳ１、左向きＳ１、上向きＳ３になるように配置される。中央上側の充填部材３０は、傾斜方向Ｓが同図において下向きＳ２になるように配置され、中央下側の充填部材３０は左向きＳ３になるように配置されている。
【００３５】
前記の傾斜方向は以下のように決定されている。第１に充填部材の傾斜方向Ｓ１は凹窪部１１に向けられる。第２に凹窪部の上部に位置する充填部材は傾斜方向Ｓ２のように流出側に向けられる。第３に連通路であるマンホール部分では、雨水が行き止まりにならないように別の方向に傾斜方向Ｓ３のように逃がす。そして、第４に隣同士の充填部材の傾斜方向が向き合わないように傾斜方向Ｓ４とする。この結果、流出側のマンホール部分では、一部の雨水が右回りに旋回する旋回流Ｓ５が生じて徐々に傾斜板部の隙間から落下するように構成される。なお、傾斜方向Ｓ３を右向きとし、右側の充填部材の傾斜方向Ｓ４を上向きにすることにより旋回流を中央より右側に、左回りとするようにしてもよい。
【００３６】
このため、雨水は充填部材３０により中央の凹窪部１１に向けて誘導されると共に、凹窪部１１に向けて徐々に落下して誘導される構成となっている。充填部材３０はこのような誘導方向で、小さいピッチで７段積み重ねたあと、連結部材３５を挟んで大きいピッチで４段積み重ねられる。なお、小さいピッチで積み重ねた場合は、傾斜板部３２は下段側の誘導方向の傾斜板部３２と僅かな段差で連続し、雨水を連続的に誘導できる。
【００３７】
このように１段に１８個連設して、１１段積み重ねられた充填部材３０は、基礎に相当する下半分が小さいピッチで積み重ねられて強度が大きくなっており、上半分は大きいピッチで空隙率が大きくなっている。また、充填部材３０を高く積み重ねると不安定となるが、上部の充填部材３０は連結部材３５の接合部３８で水平方向に接合されているため安定し、施工が容易となる。さらに、充填部材３０は積み重ね状態が安定しているため、上部の被覆部材４０を安定して支持することができ、雨水等を貯留及び／又は浸透する施設の耐久性を向上させることができる。
【００３８】
充填部材３０は、単位体積当たりの空隙率が高いことや、実用上十分な強度、耐久性を有することが要求されると共に、運搬施工が容易であり、維持管理が容易であることが要求され、耐荷重は例えば垂直方向は１平方メートル当たり５〜２０トン、水平方向は５〜１６トン、空隙率は９０％程度が好ましい。また、前記のように連結部３１に貫通孔やスリットを設けて内部に雨水等が入るようにして空隙率を上げることが好ましい。
【００３９】
充填部材３０が上下に１１段に積層され設置されたあと、充填部材３０の側面を覆う壁材２０が立設され、その外側に遮水シート２１が垂直方向に配置され、さらに外側には砂利や砕石等の埋め戻し材２２が掘削部２との間に充填される。壁材２０は、この外側に位置する遮水シート２１が貯留部１０の空間に入り込むのを防止している。遮水シート２１は貯留部１０の底面に敷いたものと同等の合成ゴム又は樹脂系シートを使用し、底面の遮水シート１２と漏水しないように、融着又は防水性の接着剤等で接合されている。遮水シート２１を砂利等の埋め戻し材２２から保護するため、遮水シート２１の外側に壁材２０と同等の保護板２３を配置してもよい。
【００４０】
なお、貯留施設でなく、浸透施設とする場合は、遮水シート１２，２１の代わりに、例えばポリエステルとポリプロピレンの複合張合わせをした透水シートを敷設する。浸透型の施設の場合、貯留部に溜まった雨水等を徐々に地面に浸透させる。また、貯留と浸透の両方の機能を持たせる場合は、底面を遮水シート１２とし、側面の途中まで遮水シート２１を敷設し、側面の途中から上を透水シートで覆うようにする。この貯留浸透型の施設の場合、上半分の透水シートから雨水等を徐々に地面に浸透させ、下半分は貯留して利用する。
【００４１】
貯留部１０には、周辺に降った雨水等を集める側溝等からの導水管２５が接続される。そして導水管２５の途中には泥溜め枡２６が設置され、雨水中の砂や泥が沈殿され、上澄み水が貯留部１０に導水管２５によって導入される構成となっている。導水管２５は複数本が泥溜め枡２６から延出して貯留部１０の壁材２０と遮水シート２１を貫通して等間隔に挿入されている。なお、複数の導水管２５は、その長さを変えて貯留部１０の奥に雨水を流入させるように構成してもよい。これにより、貯留部１０の長辺方向に沿って均一に雨水等を導入することができる。
【００４２】
貯留部１０の上部からオーバーフロー管２７が突出しており、貯留部１０の下部からはオリフィス管２８が突出している。オーバーフロー管２７は貯留部１０が満水に近い状態となると上部から放流するものである。オリフィス管２８は貯留部１０に溜められた雨水を徐々に流出させるものであり、オリフィスの径を調整して流出量を調整できる。貯留部１０に溜まった雨水を利用するときには、貯留部１０内の雨水をポンプで汲み上げて、植木への散水や洗車用水として利用することもできる。
【００４３】
貯留部１０の上部開口は被覆部材４０が覆っている。被覆部材４０は多数の充填部材３０の上部に載置される被覆ボード４１と、この上に敷設された遮水シート４２と、この上に埋め戻された埋め戻し層４３とから構成される。被覆ボード４１は、図示していないが充填部材３０の上部の連結部が嵌合する凹部を有すると充填部材に安定して載置できて好ましい。被覆ボード４１の角型マンホール１５，１６に対応する位置に連通口１７を固定する。そして、遮水シート４２を連通口１７に接合すると共に、遮水シート４２と側面の遮水シート２１は重ね合わせて側面で接合する。これにより凹窪部１１は、角型マンホール１５，１６と、連通口１７を通して地面に開口し、連通口１７から洗浄水やバキューム等のホースを挿入して凹窪部１１にホースの先端を到達させることができる。連通口１７は通常は図示していない蓋により閉じられている。なお、遮水シート４２の上に、保護ボード４４や保護シートを敷くようにしてもよい。
【００４４】
このようにして貯留部１０は、底面の遮水シート１２と、側面の遮水シート２１とにより、雨水等を貯留することができ、遮水シート１２，２１と上面の被覆部材４０の遮水シート４２とにより内部空間が構成される。そして、被覆部材４０の埋め戻し層４３により、地面１と同じ平面に埋め戻される。なお、貯留部１０の上部の遮水シート４２を透水シートで構成し、貯留部１０の上部に降った雨水を埋め戻し層４３、透水シート、被覆ボード４１を通して直接、貯留部１０に貯留するようにしてもよい。また、被覆部材は前記の構成に限らず、充填部材の上部に単にコンクリート板等を並べるような構成でもよい。
【００４５】
前記の如く構成された本実施形態の雨水等を貯留及び／又は浸透する施設の貯留部に、充填部材３０を水平方向に並べて、上下方向に積み重ねる連設施工動作について以下に説明する。地面１を掘下げて掘削部２を形成し、掘削部２の底面に基礎部３を形成する。基礎部３の長辺方向の中央部に短辺方向に全幅に亘って凹窪部１１を形成する。
【００４６】
貯留部１０の底面に遮水シート１２を敷き、フレーム１４を嵌め込んだあと、貯留部１０の底面に充填部材３０の１段目を並べる。この１段目の連設作業において、各充填部材３０は図２に示すような方向で敷詰められる。図２において、例えば左端側の４つの充填部材はマークＭが貯留部１０の中央を向くように、すなわち傾斜方向Ｓ１に合わせて配置され、右端側の４つの充填部材はマークＭが中央を向くように、すなわち傾斜方向Ｓ１に合わせて配置される。同様にして、１段目の連設作業は傾斜方向Ｓ１〜Ｓ４に合わせて行われ、貯留部１０の最下段（１段目）に充填部材３０を傾斜板部３２が所定の方向に向くように１８個を全面に並べる。１段目の充填部材の敷詰め完了後、施工責任者が誘導方向の確認をすることが好ましい。
【００４７】
貯留部１０の底面全面に、１段目の充填部材を敷詰めたあと、その上に２段目の充填部材３０を積み重ねる。２段目の充填部材３０は１段目の充填部材３０の連結部３１の上部柱部３１ａに、２段目の充填部材３０の下部柱部３１ｂを内嵌させて直接連結し、小さいピッチで積み重ねられる。２段目の充填部材３０は、既に底面全面に敷詰められた１段目の充填部材３０のマークＭに合わせて、傾斜板部３２が所定の方向に向くように積み重ねることができるため、施工が容易で、間違えることなく短時間で終了する。なお、最下段に貫通孔を多数穿設した下地ボードを敷き、その上に充填部材３０を積み重ねるようにしてもよい。
【００４８】
充填部材３０は正方形の傾斜板部３２の四隅に連結部３１が突出し、傾斜板部３２は下面側に補強リブ３３が形成され上面側は平坦であるため、施工者が傾斜板部３２上に容易に載ることができ、不要な突出物が無いため施工が容易となる。また、傾斜板部３２は補強されているため変形が少なく破損を防止でき、作業効率を上げることができる。さらに、マークＭは、上面に凹凸状態で刻設してあるので、施工者が載ったときに傾斜板部で滑るのを防止できる。このようにして、貯留部１０内に充填部材３０を本実施の形態では小さいピッチで、すなわち充填部材３０同士を直接７段積み重ねる。
【００４９】
このあと、充填部材３０の連結部３１の上に、連結部材３５を挟んで充填部材３０を積み重ねる。すなわち、１つの充填部材３０の４つの連結部３１の上部柱部３１ａに、４つの連結部材３５の下方の連結部３７を内嵌させ、連結部材３５の上方の連結部３６に充填部材３０の下部柱部３１ｂを内嵌させる。連結部３１が貯留部１０のコーナーに位置しているときは連結部３１の上部に１つの連結部材３５を重ねて押し込む。また、貯留部１０の外周で連結部３１，３１が２つ並んでいるときは、図８（ａ）に示すように２つの連結部材３５を接合部３８で接合して、２つの連結部３１，３１に重ねて押し込む。
【００５０】
さらに、貯留部１０の中間部では４つの連結部３１…が接しているが、この場合は図８（ｂ）に示すように４つの連結部材３５…を接合部３８で接合してから、４つの連結部３１…の上に載せて押し込む。角型マンホール１５，１６に接している充填部材３０は、３つの連結部材３５を接合して３つの連結部３１の上に載せて押し込む。これにより、２〜４つの連結部材３５は接合凸部３８ａを接合孔３８ｂに嵌合させて水平方向に連結されているため、７段積み重ねられた充填部材３０の上部が揺れて不安定になることを防止できる。
【００５１】
このようにして７段目の充填部材３０と８段目の充填部材３０を連結部材３５で連結し、連結部材３５同士は接合部３８により水平方向に関連付けられるため整然と並べることができ、充填部材３０の垂直方向の強度を向上させることができる。この８段面目の連結部材３５を挟んだ積み重ねも、７段目の充填部材３０上のマークＭを見ながら積み重ねできるため、連設作業が容易で短時間で行え、異なった方向での連設を防止できる。
【００５２】
同様にして、９段目から１１段目まで連結部材３５を挟んで３段積み重ねて充填部材３０の積み重ね動作を完了する。充填部材３０が積み重ねられ、施工者が載る面が底面から高くなると充填部材３０が揺れて施工しにくくなるが、上部の充填部材３０は連結部材３５で水平方向に繋げられるため充填部材３０の水平方向の揺れを防止でき、施工者が安定して作業できるため作業効率が向上し施工が容易となる。充填部材３０は下部が小さいピッチで積み重ねられ強度が向上し、上部が大きいピッチで積み重ねられ空隙率が向上する。
【００５３】
この貯留施設の周辺に雨が降り、側溝等により雨水が集められて泥溜め枡２６に流入し、ここで泥分が沈殿されて上澄み水が導水管２５から貯留部１０に導入される。貯留部１０に雨水が導入されると、上部の大きいピッチの充填部材３０で雨水及び砂や小砂利等は傾斜板部３２で中央に向けて誘導され、上段の充填部材３０から落ちた砂等は下段の充填部材３０で中央に誘導され、砂等を含む雨水は凹窪部１１の方向に誘導され落下する。そして砂等の固形分は凹窪部１１に沈殿する。従って、貯留部１０の底面全面に亘って、砂や汚泥が堆積することがなく、傾斜板部３２によって誘導された凹窪部１１に砂や汚泥が集中して堆積する。しかも、雨水が流入する際に、自動的に砂等が所定の方向に誘導され自浄されるため、固形分を充填部材から取り除くための洗浄等の操作を必要としない。
【００５４】
雨水が徐々に上昇し充填部材３０の補強リブ３３に到達すると、補強リブ３３に囲まれた下方開口の空間の空気は雨水面に押されて空気は貫通孔３４から逃げ、空間内には雨水が充満する。そして、補強リブ３３に囲まれた次の空間にも雨水が進入して充満され、このように下方に開口する空間内にも徐々に雨水を充填させることができ、貯留部１０内に雨水を効率良く貯留することができ、空隙率を高めることができる。
【００５５】
雨水に含まれる砂や汚泥は少量であるが、貯留施設を長期間使用すると砂等は徐々に堆積して量が増していく。また、降雨が激しいときは、泥溜め枡２６を通過して流入する砂等が増える。このようにして凹窪部１１に堆積した砂等の堆積物は、地面に開口する連通口１７から目視で判断することができ、ある程度の量となった時点で連通口１７から、例えばバキューム管を角型マンホール１５，１６に挿入して砂等の堆積物を吸い出して除去する。また、一方の角型マンホール１５から高圧洗浄水を噴射し、他方の角型マンホール１６から吸い出すと効率よく堆積物を除去できる。このため、貯留部１０に砂等が堆積して内容積が減少し、雨水の貯留量が減ることを防止できる。
【００５６】
降雨量が多く、導水管２５から多量の雨水等が流れ込み貯留部１０が満水状態となると、貯留部上部のオーバーフロー管２７から雨水は流出し、図示していない下水管等に排水される。貯留部１０内に溜められた貯留水を散水等に利用するときは、貯留部内の雨水をポンプで汲み上げて利用することができる。また、オリフィス管２８の途中に取水枡を設けて、ここから貯留水を取水して利用するようにしてもよい。
【００５７】
本発明の充填部材の他の実施形態を図１０に基づき詳細に説明する。図１０は、それぞれ本発明に係る充填部材の他の実施形態の斜視図である。なお、この実施形態は前記した実施形態に対し、誘導方向を示すマークの形状が異なっていることを特徴とする。そして、他の実質的に同等の構成については同じ符号を付して詳細な説明は省略する。
【００５８】
図１０ａに示す充填部材３０Ａは、雨水等が重力により誘導される傾斜板部の上面に、下流側を示す矢印状のマークＭ１が付されている。また、図１０ｂに示す充填部材３０Ｂは、雨水等が重力により誘導される傾斜板部の上面に、下流側を示す円形のマークＭ２が付されている。マークＭ１，Ｍ２が付された充填部材３０Ａ，３０Ｂを上下方向に積み重ねるとき、既に固定された充填部材の方向を確認して上部に容易に積み重ねることができるため、連設施工作業を簡略化でき、施工のスピードアップを図ることができる。なお、マークの形状は前記のものに限らず傾斜板部の誘導方向を明示できるものなら形状は問わない。
【００５９】
この実施形態においても、充填部材３０を貯留部１０内に連設するとき、雨水等が流れる方向を示すマークＭ１，Ｍ２が上面の見やすい位置に付されているため、雨水等を誘導する方向の確認が容易に行え、方向を間違えることが防止されるので砂等の固形分は確実に所定の凹窪部に誘導でき施設の長寿命化を達成でき、連設施工作業が容易に行えスピードアップが図れる。
【００６０】
本発明の充填部材のさらに他の実施形態を図１１に基づき詳細に説明する。図１１は、それぞれ本発明に係る充填部材の他の実施形態の斜視図である。なお、この実施形態は前記した実施形態に対し、上下に積み重ねる充填部材の雨水等を誘導する方向が互いに異なっている場合には積み重ねることができないように、少なくとも１つの連結部の形状及び／又は位置が残りの連結部と異なっていることを特徴とする。すなわち、上下の充填部材の誘導方向が一致したときのみ重ね合わせて連設できるものである。そして、他の実質的に同等の構成については同じ符号を付して詳細な説明は省略する。
【００６１】
図１１ａに示す充填部材３０Ｃは、４つのコーナー部に形成された三角柱状の連結部の大きさが１つだけ異なっているものである。すなわち、３つの三角柱状の連結部３１に対して、もう１つの三角柱状の連結部３１Ａは形状が異なって外形が大きく設定されている。このため、積み重ねようとしている充填部材の雨水等が流れる方向と、既に積み重ねられた下方の充填部材の誘導方向とが異なっていると４つの連結部を全て嵌合させることができず、誘導方向が異なった状態での積み重ねは確実に防止される。
【００６２】
また、図１１ｂに示す充填部材３０Ｄは、３つの連結部３１と形状の異なる１つの連結部３１Ｂとを備えており、連結部３１Ｂは四角柱状に形成されている。図１１ｃに示す充填部材３０Ｅは、３つの連結部３１と形状の異なる１つの連結部３１Ｃとを備えており、連結部３１Ｃは三角柱状の連結部が内側にオフセットされて位置が変化した状態で形成されている。
【００６３】
この２つの充填部材３０Ｄ，３０Ｅも、上下方向に積み重ねるときに誘導方向が下段の既に積み重ねられた充填部材の誘導方向と一致しないと連設することができないため、連設時に方向を間違えることを防止できる。これにより、多数の充填部材の誘導方向が確実に設定された方向になり、砂等を所望の方向に誘導できるため施設の長寿命化を達成でき、施工時間を短縮することができるので施工のスピードアップが可能となる。
【００６４】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、充填部材の連結部として、三角柱状の連結部の例を示したが、四角柱状や円柱状等、他の形状でもよいことは勿論である。
【００６５】
また、傾斜板部の上方に「上」あるいは「ＵＰ」等のマークを付し、傾斜板部の下方に「下」あるいは「ＤＯＷＮ」等のマークを付して雨水等を誘導する方向を表示してもよい。さらに、前記のマークを傾斜板部の１個所、例えば上方に「上」のマークだけを付けても連設作業を容易に行え、短時間の施工を可能とすることができる。誘導方向が一致したときのみ上下に連結できる構成として、充填部材の連結部の少なくとも１つの形状及び／又は位置が異なる例を示したが、２つ異なっているように構成してもよい。
【００６６】
【発明の効果】
以上の説明から理解できるように、本発明の充填部材は、充填部材を水平方向に並べ、垂直方向に積み重ねる連設施工作業時に、雨水が流れる誘導方向を容易に確認できるため、施工作業が容易に行える。また、誘導方向が異なった状態での連設を防止できるため、砂等を確実に所定の方向に誘導して所定の場所に堆積させることができ、施設の寿命を延ばすことができる。
【００６７】
さらに、本発明の充填部材の施工方法によれば、先ず１段目の底面全面に誘導する方向を決めて充填部材を敷詰め、２段目以降の充填部材は１段目の充填部材に合わせて積み重ねることができ、あるいは１段目の充填部材と誘導方向が異なると連結部を上下方向に積み重ねることができないため、多数の充填部材を決められた方向に確実に、しかも容易に積み重ねることができ、施工作業を短時間で終了できスピードアップを達成できる。
【図面の簡単な説明】
【図１】本発明に係る充填部材が使用される雨水等を貯留及び／又は浸透する施設の一実施形態の断面図。
【図２】図１の上部の被覆部材を省略した状態の平面図。
【図３】図１のＡ−Ａ線断面図。
【図４】図１の施設に使用する充填部材の上方の斜視図。
【図５】図１の施設に使用する充填部材の下方の斜視図。
【図６】（ａ）は図４のＢ−Ｂ線断面図、（ｂ）は図４のＣ−Ｃ線断面図。
【図７】図１の施設に使用する連結部材を示し、（ａ）は上方の斜視図、（ｂ）は下方の斜視図。
【図８】（ａ）は図７の連結部材を２つ組んだ状態の斜視図、（ｂ）は４つ組んだ状態の斜視図。
【図９】（ａ）は図７の連結部材を２つ組んだ状態の平面図、（ｂ）は４つ組んだ状態の平面図。
【図１０】（ａ）、（ｂ）は、それぞれ充填部材の他の実施形態の斜視図。
【図１１】（ａ）〜（ｃ）は、それぞれ充填部材のさらに他の実施形態の斜視図。
【符号の説明】
１…地面、２…掘削部、３…基礎部、１０…貯留部、１１…凹窪部、１２，２１…遮水シート、１４…フレーム、１５，１６…角型マンホール（連通路）、１７…連通口、２０…壁材、３０，３０Ａ，３０Ｂ，３０Ｃ，３０Ｄ，３０Ｅ…充填部材、３１，３１Ａ，３１Ｂ，３１Ｃ…連結部、３２…傾斜板部（誘導手段）、３３…補強リブ（補強部）、３４…貫通孔、３５…連結部材、３８…接合部、３８ａ…接合凸部、３８ｂ…接合孔、４０…被覆部材、４１…被覆ボード、４２…遮水シート、４３…埋め戻し層、Ｓ，Ｓ１〜Ｓ４…傾斜方向（誘導方向）Ｓ５…旋回流、Ｍ，Ｍ１，Ｍ２…マーク
【図１】
2004360231.tif 000003
【図２】
2004360231.tif 000004
【図３】
2004360231.tif 000005
【図４】
2004360231.tif 000006
【図５】
2004360231.tif 000007
【図６】
2004360231.tif 000008
【図７】
2004360231.tif 000009
【図８】
2004360231.tif 000010
【図９】
2004360231.tif 000011
【図１０】
2004360231.tif 000012
【図１１】
2004360231.tif 000013